(57)【要約】      （修正有） 【課題】簡単且つ素早く修正することのできる年間日付機構を有する時計ムーブメントを提供する。【解決手段】カレンダ機構は３１日の文字と３１枚の歯２０ａを有する第１内歯列２０と第２内歯２４とを具備する日付ディスク１６と前記第１内歯列２０の歯の１つを１日にワンステップ駆動して、日付表示を制御する日付動輪セット３２と前記第２内歯２４を小の月の終わりに、さらにワンステップ進めることにより、日付ディスク１６を駆動する修正動輪セット４２と、１年に１回転する月星車５４と、各月の終わりに前記月星車５４を駆動する月動輪セット５２とを有し、前記月動輪セット５２は、前記月星車５４に作用せずに、日付ディスク１６と月星車５４との間の運動力学的結合が解かれる第１位置と、月の変わり目の時に月動輪セット５２が占有し、月星車５４を活性化して、月星車５４をワンステップ前進させる第２位置とを有する。【選択図】図２
2007132944.tif 000002
【特許請求の範囲】
【請求項１】
時計のカレンダ機構において、
（Ａ）  月の日にち（日付）対応する３１の文字が刻まれ、３１枚の歯（２０ａ）を有する第１内歯列（２０）と、第２内歯（２４）とを具備する日付ディスク（１６）と、      （Ｂ）  日付動輪セット（３２）と、
前記日付動輪セット（３２）は、前記日付ディスク（１６）を１日にワンステップ前記第１内歯列（２０）の歯（２０ａ）の１つを介して駆動して、日付表示を制御し、
（Ｃ）  前記第２内歯（２４）と共働して、日付ディスク（１６）を、小の月の終わりに、ワンステップ進める修正動輪セット（４２）と、
（Ｄ）  各月の終わりに駆動され、１年に１回転する月星車（５４）と
（Ｅ）  各月の終わりに前記月星車（５４）を駆動する月動輪セット（５２）と
を有し、
前記月動輪セット（５２）は、輪列（３５、５６）を介して、日付動輪セット（３２）と修正動輪セット（４２）とに接続され、
前記月動輪セット（５２）は、第１位置と第２位置とを占有し、
前記第１位置においては、前記月星車（５４）に作用せずに、日付ディスク（１６）と月星車（５４）との間の運動力学的結合が解かれ、
前記第２位置においては、月の終わりに月動輪セット（５２）が占有し、月星車（５４）を活性化して、月星車（５４）をワンステップ前進させ、
修正装置（９０）が、月星車（５４）に影響を及ぼさずに、日付ディスク（１６）に対し動作し、またその逆も行われる
ことを特徴とする時計のカレンダ機構。
【請求項２】
前記日付動輪セット（３２）と月動輪セット（５２）は、第１スライドレバー（４０）に動かされ、
前記第１スライドレバー（４０）の回転は、結合レバー（５９）により、制御され、
前記修正動輪セット（４２）は、第２スライドレバー（４８）により、動かされ、
前記スライドレバー（４８）の回転は、前記月星車（５４）と共働するレバー（７０）により制御される
ことを特徴とする請求項１記載のカレンダ機構。
【請求項３】
前記レバー（５９）の回転は、日付ディスク（１６）に搭載されるポスト（２６）により制御され、
前記ムーブメントにより、前記月動輪セット（５２）は、月星車（５４）と噛み合い、月星車（５４）を各月の終わりにワンステップ前進させ、
翌月が小の月になる時に、前記レバー（７０）は回転し、修正動輪セット（４２）を、第２内歯（２４）の通路上に配置する
ことを特徴とする請求項２記載のカレンダ機構。
【請求項４】
前記月動輪セット（５２）は、月星車（５４）を毎月ワンステップ前進させるフィンガ（５８）を有し、
前記修正動輪セット（４２）は、日付ディスク（１６）を小の月の終わりにさらにワンステップ駆動するフィンガ（４４）を有する
ことを特徴とする請求項１−３のいずれかに記載のカレンダ機構。
【請求項５】
前記月星車（５４）は、１２枚の歯を具備した車（６０）と月カム（６８）とを有し、
前記月カム（６８）は、５つの小の月に対応する５個の突起部（６８ａ−６８ｅ）を有し、
前記レバー（７０）は、上部カム（６８）の輪郭に先端（７２）で追従する
ことを特徴とする請求項２−４のいずれかに記載のカレンダ機構。
【請求項６】
前記月星車（５４）は、カム（６６）を有し、
前記レバー（７０）は、カム（６６）の輪郭にノーズ（７４）で追従する
ことを特徴とする請求項５記載のカレンダ機構。
【請求項７】
前記第２内歯（２４）は、１個の歯（２４ａ）を有する
ことを特徴とする請求項１−６のいずれかに記載のカレンダ機構。
【請求項８】
前記カレンダ動輪セット（３２）は、車（３６）を有し、
前記車（３６）は、フィンガ（３４）を具備し、時車（３９）により回転駆動される第１動輪（３８）に機械力学的に結合され、
前記修正動輪セット（４２）は、日付ディスク（１６）を第２内歯（２４）を介して駆動するフィンガ（４４）を有し、
前記フィンガ（４４）は、第１動輪（３８）に中間車（５０）を介して駆動される第２動輪（４６）に固定され、
前記中間車（５０）は、前記車（３６）と噛み合い、
前記月動輪セット（５２）は、第３動輪（５６）を有し、
前記月動輪セット（５２）は、月動輪セット（５２）は、月星車（５４）を駆動するフィンガ（５８）を有する
ことを特徴とする請求項２−７のいずれかに記載のカレンダ機構。
【請求項９】
前記日付動輪セット（３２）と修正動輪セット（４２）と月動輪セット（５２）は、瞬時解放装置（７６）により、駆動される
ことを特徴とする請求項８記載のカレンダ機構。
【請求項１０】
前記瞬時解放システム（７６）は、解放レバー（７８）を有し、
前記解放レバー（７８）は、スプリング（８０）により復帰され、ビーク（８２）を介してカム（８４）に当たり、
前記車（３６）は、カム（８４）にピン（８６）を介して固定され、
前記ピン（８６）は、車（３６）内に形成された被成形開口（８８）内を自由に動くことができる
ことを特徴とする請求項９記載のカレンダ機構。
【請求項１１】
前記日付ディスク（１６）は、互いに異なるレベルにある底部環状ディスク（１８）と上部環状ディスク（２２）とを有し、
前記底部環状ディスク（１８）は、第１内歯（２０）を有し、
前記上部環状ディスク（２２）は、第２内歯（２４）を有する
ことを特徴とする請求項１−１０のいずれかに記載のカレンダ機構。
【請求項１２】
前記瞬時修正装置（９０）は、修正ピニオン（９２）を有し、
前記修正ピニオン（９２）は、スライドレバー（１０２）に搭載され、中間車（９４）により駆動され、
前記中間車（９４）は、巻回ステム（９６）により駆動される
ことを特徴とする請求項１−１１のいずれかに記載のカレンダ機構。
【請求項１３】
前記スライドレバー（１０２）は、
中立位置と、
第１活性日付表示修正位置と、
第２活性日付表示修正位置と
を有し、
前記スライドレバー（１０２）が中立位置を占有する時は、巻回ステム（９６）がレバー（１１４）とポスト（１１６）の動きを介して巻き上げ位置あるいは時間設定位置にあり、前記ポスト（１１６）が、前記スライドレバー（１０２）のＶ字形切り欠き部分（１１８）に係合している時であり、
前記スライドレバー（１０２）が、第１と第２の活性日付表示修正位置にいずれかを占有するかは、ステムが修正位置にある時に、ステムの回転方向に依存する
ことを特徴とする請求項１２記載のカレンダ機構。
【請求項１４】
月指示装置（１２０）をさらに有し、
前記月指示装置（１２０）は、年の月の表示を具備し、ハブ（１２４）に取り付けられるディスク（１２２）を有し、
前記ハブ（１２４）を介して、月指示装置（１２０）は、月星車（５４）に搭載される
ことを特徴とする請求項１−１３のいずれかに記載のカレンダ機構。
【発明の詳細な説明】
【技術分野】
【０００１】
本発明は、月表示機構を具備した時計用ムーブメント用のカレンダ機構に関する。この種のカレンダ機構は、月の内の正確な日付（日にち）を表示し、１年間に１回、１日あるいは２日、日付（例えば２月の末日から３月１日）に変更する。
【背景技術】
【０００２】
時計のムーブメント用のカレンダ機構は、特許文献１に開示されている。この機構は、第１レベルに配置された３１枚の内歯を具備した日付ディスクを有し、この日付ディスクに３１の数字が刻まれており、これが日にち表示に対応する。これらの数字は、文字板に形成された開口を介して連続的に表れる。日付ディスク用の動輪セットは、中間車の組を介して時計のムーブメントの時車に結合される動輪を有する。この動輪セットは、駆動フィンガに適合して２４時間に１回転し、日付ディスクを１日に１回、その内歯を介して駆動して日付表示を制御して（変えて）いる。
【０００３】
【特許文献１】欧州特許第０９８７６０９号明細書
【０００４】
特許文献１の機構は、さらに小の月（３１日未満の月）の終わりに日付表示を修正する装置を有する。この日付ディスクは、日付ディスクに固定され、第２レベルに配置された第２の歯を有する。この追加された第２の歯は、円周の３１分の１だけ互いに離間された２個の並列配置された歯を具備し、１月に１度、月カムを具備する車を２個の中間車を介して駆動する。この月カムは、各月の終わりに追加的な第２の歯により駆動され、１年に１回回転するよう配置される。それは、小の月に対応する細い歯を具備し、これらの歯のそれぞれが小の月の終わりにレバーの先端のパス上に配置されるよう構成されている。このレバーは、修正フィンガを具備した修正動輪セットを具備する。この修正フィンガは、第２の歯と共働して、日付ディスクを小の月の終わりにさらにワンステップ駆動する。これは、レバーの先端が月カムの歯を通過し、レバーが回転した時に行われる。この修正車は、日付動輪セットと同様に、２４時間に１回転するよう配置される。
【０００５】
上記の機構はいくつかの欠点がある。その第１の欠点は、月カムは、月を特定する表示を有し、時計の文字板に開けられた穴を通して連続的に表れよう、日付ディスクに固定された歯列で、駆動される。従って、月表示の修正は、日付機構を同時に動かさずに、行うことは不可能である。このことが不都合なことは、時計が例えば、ある月の１０日で停止し、それを翌月の１５日に修正する時である。このような場合、「１１日」から「３１日」まで日付表示に対応する全ての数字を連続して進ませ、その後さらに、「１日」から「１５日」まで進ませなければならない。
【０００６】
さらに、小の月の終わりに日付表示を修正する装置は、日付ディスク上に具備された第２の歯列を必要とする。この日付ディスクは、円周（一回転）の３１分の１だけ互いに離間した２個の並列配置された歯を具備する。月カムは、毎回１回転の２４分の１だけ前進させることにより、これらの２枚の歯のそれぞれにより連続して駆動されるよう、配置される。瞬時修正装置（quick corretion device）が用いられる場合には、日付ディスクの第２の歯列の２枚の歯の内、どちらが月カムを駆動するかを決定できず、かくして、ずれ（シフト）が日付表示と月表示の間で発生する。それ故に、この瞬時修正装置は、特許文献１に開示されたカレンダ機構には採用することができない。
【０００７】
最後に、特許文献１の機構は、瞬時カレンダ装置（instantaneous calendar device）と共に使用することはできない。特許文献１の図を参照すると、小の月の３０日の真夜中では、日付リングは３１日を示している。従って、小の月の「３０日」の２１時００分から翌月（大の月）の「１日」の日の２時３０分の間では、時計の日付表示は正確ではない。
【発明の開示】
【発明が解決しようとする課題】
【０００８】
本発明の目的は、前記の欠点を解決することであり、本発明により簡単且つ素早く修正することのできる時計ムーブメントの年間日付機構を提供することである。
【課題を解決するための手段】
【０００９】
本発明の時計のカレンダ機構は、
（Ａ）  月の日にち（日付）対応する３１の文字が刻まれ、３１枚の歯を有する第１内歯列と、第２内歯とを具備する日付ディスクと、
（Ｂ）  日付動輪セットと、
前記日付動輪セットは、前記日付ディスクを１日にワンステップ前記第１内歯列の歯の１つを介して駆動して、日付表示を制御し、
（Ｃ）  前記第２内歯と共働して、日付ディスクを、小の月の終わりに、ワンステップ進める修正動輪セットと、
（Ｄ）  各月の終わりに駆動され、１年に１回転する月星車と
（Ｅ）  各月の終わりに前記月星車を駆動する月動輪セットと
を有し、
前記月動輪セットは、輪列を介して、日付動輪セットと修正動輪セットとに接続され、
前記月動輪セットは、第１位置と第２位置とを占有し、
前記第１位置においては、前記月星車に作用せずに、日付ディスクと月星車との間の運動力学的結合が解かれ、
前記第２位置においては、月の終わりに月動輪セットが占有し、月星車を活性化して、月星車をワンステップ前進させ、
修正装置が、月星車に影響を及ぼさずに、日付ディスクに対し動作し、またその逆も行われる。
【００１０】
これらの特徴により、本発明は、日付機構がある月の末日から翌月の１日に移行するのに必要な時間の間を除いて、日付ディスクが月カムに運動力学的に結合されていない年間日付機構を提供する。かくして、月の修正は、日付の修正とは独立して行うことができる。本発明による日付の修正は、日付ディスクが月カムに永久接続され、月表示を修正するために、日付ディスクを３１日にわたって回転する場合よりも、遙かに速く行うことができる。
【００１１】
本発明の他の特徴によれば、日付動輪の組と修正動輪の組と月動輪の組とは、瞬時解放機構（instantaneous release mechanism）により駆動される。
【００１２】
この他の特徴により、本発明は、月表示と日付表示がほぼ同時に修正できるカレンダ機構を提供できる。かくして、ユーザは、表示修正ステップを見るだけでよい。さらに、本発明の日付機構を具備した時計は、月と日付の正確な表示を提供できる。これは、小の月から翌月（大の月）の１日への変化の時に重要である。特に上記したように、従来のカレンダ機能付き時計の場合には、表示の修正は、時計学では、スライドすることにより徐々に行われ、それを完了するのに数十分あるいはさらには数時間かかることがある。この時間の間、時計は不正確な日付と月の表示を提供することになる。逆に、本発明によれば、これらの表示は瞬時に修正され、時計は常にユーザに正しい表示を提供できる。
【実施例】
【００１３】
以下の説明は、日付ディスクと月星車との間の運動力学的な結合が、カレンダ機構がある月の末日から翌月の初日に移行するのに必要な期間を除いて、常に中断されているようなカレンダ機構からなる本発明の概念を説明する。この機構により、日付表示と月表示が、例えば２月の末日あるいは時計がある期間停止した後、独立して素早く修正できるようになる。さらに、本発明のカレンダ機構は、瞬時解放システムを含む。この瞬時解放システムにより、日付と月の表示は、ある月の末日から翌月の１日に素早く（ずるずるすることなく）行われる。これにより、ある月から翌月への移行は、ユーザが気づかずに行われ、時計は常に正しい表示を与える。
【００１４】
図１は、本発明のカレンダ機構を具備した時計の平面図である。時計１は、時針２と分針４と秒針６とを有する。時計１は、文字板１２に開けられた開口１０を介して見える日付８の形態の日付表示を含む。時間設定は、竜頭１４を介して行う。
【００１５】
図２−５は、文字板を時計から取り外し、本発明を実現するのに有効な要素のみを示す。これらの図は、本発明によるカレンダ機構が小の月から翌月に変わる間、例えば４月３０日から５月１日に変わる間の３つの瞬間を示す。
【００１６】
図２と図６は、本発明のカレンダ機構の動作を説明する。この機構は、日付ディスク１６を有する。この日付ディスク１６は、第１内歯列２０を具備する底部環状ディスク１８と、第２内歯列２４を具備する上部環状ディスク２２とから構成される。第１内歯列２０は、３１枚の歯２０ａを有し、第２内歯列２４は、１枚の歯２４ａを有する。上部環状ディスク２２の上部表面は、３１個のの数字が刻まれ、日の表示に対応する。これらの数字は、図１に示す開口１０を介して連続的に表れる。上部環状ディスク２２は、その底面にポスト型の制御部材２６を有する。この制御部材（以下ポストとも称する）２６は、適宜の手段により上部環状ディスク２２に取り付けられる、あるいは上部環状ディスク２２と一体に構成される。ポストである制御部材２６の機能を以下説明する。歯２０ａと歯２４ａは、異なる面に延びる。すなわち、歯２０ａは歯２４ａの下レベル（層）を延びる。図６から分かるように、２個の底部環状ディスク１８と上部環状ディスク２２は、互いに平行に離間して（別の段／層を）延びる。
【００１７】
図２−５において、スプリング３０により戻されたジャンパ２８は、底部環状ディスク１８の第１内歯列２０に当たり、日付ディスク１６が活性化されていない時に、日付ディスク１６を角で配置して、日付ディスク１６の完全な表示を開口１０方向に向ける。
【００１８】
日付動輪セット３２がフィンガ３４に適合する。このフィンガ３４は、日付ディスク１６を、第１内歯列２０を介して、１日にワンステップ駆動する。図２に示す本発明の日付機構が「３０日」から「３１日」にジャンプする直前の状態においては、フィンガ３４は、底部環状ディスク１８の第１内歯列２０には未だ噛み合ってはいない。図２−５と図７、８から分かるように、日付動輪セット３２は車３６を有する。この車３６がフィンガ３４を具備し、１日に１回転する第１動輪３８により回転駆動される。第１動輪３８は、従来の時計ムーブメント（機械的あるいは電子機械的のいずれでも）の時間車３９により車セット４１を介して駆動される。車セット４１の車４３は、時間車３９により駆動され、車セット４１のピニオン（かな）４５は第１動輪３８と噛み合う。かくして形成された日付動輪セット３２は、Ａでムーブメントに固定されたポスト３７を中心に回転する。Ａは、同時にベアリング（宝石）のピボットでもある。
【００１９】
日付ディスク１６の構造を除いて上記の構成は従来公知のものである。従来の日付ディスク駆動輪は、第１内歯列２０と噛み合う瞬時修正装置の手段により日付をリセットするが、これは所定の位置にある竜頭を用いて行う。この従来のシステムでは、小の月（すなわち２月、４月、６月、９月、１１月）の終わりに日付をリセットする必要がある。
【００２０】
次に従来の機構を本発明のカレンダ機構に切り換えるために、追加された装置を説明する。本発明のカレンダ機構では、２月を除いて日付は小の月の終わりに「３０日」から翌月の「１日」に自動的にジャンプする。
【００２１】
上記したように、本発明の日付ディスク１６が従来の日付ディスクと異なる点は、本発明の日付ディスク１６は、上部環状ディスク２２上に追加された歯２４ａを有することである。それは一月に１回、通常小の月の終わりに修正動輪セット４２により駆動される。この修正動輪セット４２はフィンガ４４を含む。このフィンガ４４は、第２動輪４６に固定され、Ｂを中心に回転するスライド・レバー４８に搭載される。第２動輪４６は、第１動輪３８により中間車５０を介して駆動される。この中間車５０は車３６と噛み合う。
【００２２】
スライド・レバー４０は、月動輪セット５２を具備し、月星車５４を各月の終わりに駆動する。このため月動輪セット５２は第３動輪５６を有する。この第３動輪５６は、フィンガ５８を具備し、第１動輪３８により車３６を介して、駆動される。Ｆを中心に回転する結合レバー５９は、スライド・レバー４０の回転を制御する。この結合レバー５９は、スプリング６１に戻されて、操作アーム６３を介して、スライド・レバー４０と共働する。操作アーム６３のヘッド６５は、スライド・レバー４０に形成された開口６７内に滑り込む。
【００２３】
図９から明らかなように、月星車５４は１２枚の歯６０を有する車を有する。この車は、スプリング６１により戻されたジャンパ６２により配置され、月星車５４が活性化されていない時に、月星車５４を角で配置する。この月星車５４は、底部カム６６と上部カム６８とを有する。上部カム６８は、周囲に分散配置された５個の突起部６８ａ−６８ｅを有する。この５個の突起部６８ａ−６８ｅは、それぞれ５つの小の月に対応する。底部カム６６は、レバー７０用の復帰スプリングの使用を回避する。このレバー７０は、その先端７４を介して、底部カム６６の輪郭に沿い、且つ上部カム６８の輪郭にノーズ７２を介して沿う。このレバー７０は、Ｃを中心に回転し、スライド・レバー４８上に自由に回転できるよう、搭載されている。
【００２４】
本発明のさまざまな構成要素は上記したように説明したが、次に本発明のカレンダ機構の動作について説明する。２つのケースが小の月と大の月によって発生する。小の月の場合、「３０日」から翌月の１日に移行する例を図２−５に示す。
【００２５】
図２に本発明のカレンダ機構が示されており、このカレンダ機構は、「３０日」から「３１日」に移る直前の状態にある。この状態において、フィンガ３４とフィンガ４４は、底部環状ディスク１８と上部環状ディスク２２の第１内歯列２０と第２内歯列２４から解放されている。同様に、フィンガ５８は、月星車５４の１２枚の車６０を具備した車の歯列から解放される。日付ディスク１６または月星車５４の瞬時修正は、いつでもできる。その理由は、瞬時解放システム７６を使用し、修正フィンガが日付リングと月星車の歯列を徐徐に入り込むずるずると引きずる修正システムを使用しないからである。
【００２６】
瞬時解放システム７６を図７、８に示す。瞬時解放システム７６は、第１動輪３８と車３６とを有する。車３６はフィンガ３４を具備する。瞬時解放システム７６は、スプリング８０により戻され、先端８２を介してカム８４に当たる解放レバー７８を有する。車３６は、カム８４にピン８６またはリベットにより固定される。このピン８６は、第１動輪３８内に形成された開口８８を自由に移動する。
【００２７】
瞬時解放システム７６の動作を次に述べる。第１動輪３８は、回転することにより、ピン８６を介して、車３６とカム８４を駆動する。解放レバー７８は、カム８４の輪郭に沿って先端８２を介して移動する。この移動は、スプリング８０により制限さされ、解放レバー７８がカム８４に沿って急速にスライドし、カム８４と車３６とを、カム８４の形状によって決まる角度で回転させる点まで、行われる。その後、カム８４と車３６は、第１動輪３８が、開口８８の底部にあるピン８６を介して、それらを再び動かし始めるまで静止したままでいる。
【００２８】
瞬時解放システム７６が解放された後、日付機構は、図３、４、５に示される位置を連続して通過する。本発明による日付機構を形成するさまざまな部材の連続的な動きを分解して、実際に日付機構が図２の位置から図５の位置まで１秒未満で動くことを容易に理解できるようにする。
【００２９】
図３において、フィンガ４４を第２動輪４６が具備する。第２動輪４６は、カム８４と車３６により、中間車５０を介して駆動され、歯２４ａを１ステップだけ押して、日付ディスク１６を駆動し、表示を「３０日」から「３１日」にする。車３６は、第１動輪３８が属する瞬時解放システム７６により駆動され回転を継続する。その結果、フィンガ３４は、車３６により具備されるが、底部環状ディスク１８の歯２０ａの後ろにあり、図４に示す機構の第２動作フェーズが開始する。
【００３０】
図４において、フィンガ３４は、前にある歯２０ａを前方に押し、上部環状ディスク２２を駆動する。ポスト２６を介して、上部環状ディスク２２は、その後結合レバー５９を押す。結合レバー５９は、回転中心Ｆを中心に回転し始める。操作アーム６３を介して、結合レバー５９は、第３動輪５６を具備するスライド・レバー４０と、その関連フィンガ５８とを押す。この押す力により、スライド・レバー４０は回転中心Ａを中心に回転し、フィンガ５８は、月星車５４の１２枚の歯を有する車６０の歯列に入り込む。フィンガ４４は回転し続けるが、これは、離れる方向へ移動する歯２４ａには何ら影響を及ぼさない。図４から分かるように、ジャンパ２８は、２つの連続する歯２０ａの間の切り欠き部分から次の２つの歯２０ａの間の切り欠き部分に移動し、瞬間的にこれらの歯２０ａの１つの歯上を通過する。この動作段間において、表示は「３１日」から翌月の「１日」への中間位置にある。
【００３１】
月の表示変化を図５を参照して説明する。この位置において、フィンガ３４は、ワンステップ、前にある歯２０ａの方向に押すことを終了し、日付ディスク１６をさらにワンステップで駆動して、表示を「３１日」から翌月の「１日」にする。これは、小の月の翌月の１日である。かくして大の月である。大の月の終わりには、日付ディスク１６の表示を修正する必要はないが、フィンガ４４は、第２内歯列２４から解放される。これについては次に詳述する。車３６により駆動される第３動輪５６により駆動されて、フィンガ５８は、月星車５４をワンステップ前方に動かす。すなわち１２分の１回転させる。この最後のフェーズの間、月星車５４の回転は、底部カム６６と上部カム６８の回転により行われる。レバー７０の先端７４は、底部カム６６の輪郭に沿って移動し、ノーズ７２は、上部カム６８の２つの突起部分の間にある。レバー７０は、回転中心Ｃを中心に回転するが、回転軸Ｂを中心に回転するスライド・レバー４８を同時に駆動する。これにより、フィンガ４４を第２内歯列２４の半径から離し、かくして、大の月の終わりに、フィンガ４４は、第２内歯列２４から解放され、日付ディスク１６をさらにワンステップ動かすことはない。
【００３２】
図５において、この状態は小の月の翌月の大の月の１日である。フィンガ４４は、最終位置にあり、この位置においては、フィンガ４４は、上部環状ディスク２２の第２内歯列２４から離れている。フィンガ４４は、この状態にその月の間留まる。大の月の終わりにフィンガ３４は、日付ディスク１６を「３０日」から「３１日」に通りすぎ、その後、「３１日」から翌月の「１日」となる。従来と同様である。毎回フィンガ４４は瞬時解放システム７６により活性化されるが、日付表示には影響を及ぼさない。その理由は、フィンガ４４は上部環状ディスク２２の第２内歯列２４から解放されているからである。この２日目の間（３０日から１日の間）、ポストでもある制御部材２６は、スライド・レバー４０を、結合レバー５９を介して押す。この押す力により、スライド・レバー４０は回転中心Ａの周りで回転し、フィンガ５８は、月星車５４の１２枚の歯を有する車６０の歯列に入り込み、この月星車５４をワンステップ前に動かす。すなわち、１２分の１回転させる。大の月から別の大の月に移行する場合（７月から８月と１２月から１月）、カム６６と６８は、レバー７０と４８をその位置に保持する。小の月になるときには、レバー７０のノーズ７２は、突起部６８ｂの上にのぼり、スライド・レバー４８を回転させる。その結果、フィンガ４４は上部環状ディスク２２の第２内歯列２４の半径内に入り、歯２４ａを小の月の終わりにワンステップ前方に移動させる。この位置は、その月全体にわたって維持される。その月（小の月）の「３０日」になると、歯２４ａは図３に示された位置になり、この周期が再び開始される。「１日」から「２日」へ移る間、ポストである制御部材２６は完全に結合レバー５９を追い越す。結合レバー５９は、その後静止位置にスプリング６１の押す力により、戻り、制御部材２６のパスの上にある。その月の現在の最後の日が翌月の「１日」となった時に、制御部材２６により再び活性化される。
【００３３】
上記の説明から明らかなように、小の月の間、フィンガ４４は、上部環状ディスク２２の歯２４ａの通過路上にある。フィンガ４４は、１月に１回だけ移動するが、その理由は、上部環状ディスク２２はこの歯２４ａを１個しか有しないからである。しかし、大の月の間、フィンガ４４は、第２内歯列２４から離れる方向に移動し、その結果、上部環状ディスク２２には何ら影響を及ぼさない。さらに、月星車５４の底部カム６６と上部カム６８は、小の月と大の月の連続性を実現する。大の月の間、レバー７０の先端７４は、底部カム６６の突起部分の先端に当たる。レバー７０は、回転し、フィンガ４４を非活性状態にスライド・レバー４８を介して、移行させる。小の月の間、レバー７０のノーズ７２は、上部カム６８の輪郭に当たり、フィンガ４４を活性状態にもっていく。レバー７０の斜視図を図１０に示す。
【００３４】
本発明のカレンダ機構は、図１１−１６に示す瞬時修正装置を有する。この瞬時修正装置９０は、修正ピニオン９２を有する。この修正ピニオン９２は、中間車９４により摩擦駆動される３本のフィンガを具備する。中間車９４そのものは、巻回ステム９６によりスライド・ピニオ９８と第２中間車１００を介して、駆動される。スライド・レバー１０２は、第２中間車１００の中心にあるＤを中心に回転し、修正ピニオン９２を具備する。
【００３５】
瞬時修正装置９０は、通常中立位置に保持されて、本発明のカレンダ機構の適正な動作を阻害しないようにしている。ムーブメントの時間設定機構の制御レバー１０４は、巻回ステム９６とプルアウト・ピース１０６のそれぞれの位置に依存して、３つの位置を占有する。図１２、１３において、制御レバー１０４は、中立位置にあり、巻回ステム９６が押し込まれた状態にある。制御レバー１０４は、時間設定トレイン１０８を具備し、その１つのピン１１０は、時計の文字板側で、レバー１１４に形成されたスロット１１２を貫通する。Ｅを中心に回転するレバー１１４は、ポスト１１６を具備する。このポスト１１６が、スライド・レバー１０２のＶ字形切り欠き部分１１８内に係合することにより、スライド・レバー１０２をその位置に保持する。
【００３６】
巻回ステム９６が中間位置に引き出されると、制御レバー１０４は回転し、そのピン１１０は、レバー１１４とそのポストをスライド・レバー１０２から離れる方向に移動させる。スライド・ピニオ９８が、その後中間車９４と第２中間車１００と修正ピニオン９２を駆動する。巻回ステム９６の回転方向によって、スライド・レバー１０２はＤを中心に回転し、修正ピニオン９２は、日付ディスク１６をその第１内歯列２０で駆動するか、あるいは月星車５４を１２枚の歯の付いた車６０で駆動する。巻回ステム９６が時間設定位置にある時には、制御レバー１０４は、反対方向に回転し、その第２中間車１００は、再びレバー１１４とポスト１１６を保持する。このポスト１１６はＶ字形切り欠き部分１１８内に係合する。
【００３７】
本発明のカレンダ機構は、図１７に示す月表示を有する。月指示装置１２０は、１年の１２ヶ月分の記号（図では、ＪＵＮ，ＭＡＹ，ＡＰＰ）が記されたディスク１２２を有する。このインディケータであるディスク１２２は、ハブ１２４の上に留められる。このハブ１２４は、孔１２６を具備し、この孔１２６を介してハブ１２４が月星車５４により具備される２個の対応するポスト１２８に嵌められる。かくして形成された月指示装置１２０は、保持プレート（図示せず）の筒に具備されるキーにより保持される。
【００３８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３９】
【図１】本発明のカレンダ機構を具備した時計の平面図。
【図２】日付ディスクが、小の月の終わりの「３０日」から「３１日」に移行する前の位置にある本発明の日付機構の平面図。
【図３】日付ディスクが、小の月の終わりの「３０日」から「３１日」に移行する本発明のカレンダ機構の、図２に類似する平面図。
【図４】「３１日」から大の月の１日に移行する準備段階にある本発明の日付機構の、図３に類似する図。
【図５】大の月の１日における本発明のカレンダ機構の、図４に類似する図。
【図６】日付ディスクの斜視図。
【図７】瞬時解放システムの底面図。
【図８】瞬時解放システムの動輪の上面図。
【図９】月星車の斜視図。
【図１０】図９に示した月星車と共働するレバーの斜視図。
【図１１】中間位置にある瞬時修正システムの文字板側の上面図。
【図１２】中間位置にある図１１の瞬時修正システムの裏面カバー側の上面図。
【図１３】より下のレベルにある部品を示すために、一部の部品を取り除いた状態にある図１２に類似する図。
【図１４】日付ディスクの歯列と噛み合う瞬時修正システムの修正ピニオン（かな）の平面図。
【図１５】月星車の歯と噛み合う図１４の修正ピニオン（かな）の平面図。
【図１６】時間設定位置にある時計内の瞬時修正システムの平面図。
【図１７】月表示ディスクの斜視図。
【符号の説明】
【００４０】
１  時計
２  時針
４  分針
６  秒針
８  日付
１０  開口
１２  文字板
１４  竜頭
１６  日付ディスク
１８  底部環状ディスク
２０  第１内歯列
２２  上部環状ディスク
２４  第２内歯列
２６  制御部材
２０ａ，２４ａ  歯
２８  ジャンパ
３０  スプリング
３２  日付動輪セット
３４  フィンガ
３６  車
３７  ポスト
３８  第１動輪
３９  時間車
４０  スライド・レバー
４１  車セット
４２  修正動輪セット
４３  車
４４  フィンガ
４５  ピニオン
４６  第２動輪
４８  スライド・レバー
５０  中間車
５２  月動輪セット
５４  月星車
５６  第３動輪
５８  フィンガ
５９  レバー
６０  歯
６１  スプリング
６２  ジャンパ
６３  操作アーム
６５  ヘッド
６７  被形成開口
６６  底部カム
６８  上部カム
６８ａ−６８ｅ  突起部
７０  レバー
７２  ノーズ（鼻）
７４  先端
７６  瞬時解放システム
７８  解放レバー
８０  スプリング
８２  先端
８４  カム
８６  ピン
８８  被成形開口
９０  瞬時修正装置
９２  修正ピニオン
９４  中間車
９６  巻回ステム
９８  スライド・ピニオン
１００  第２中間車
１０２  スライドレバー
１０４  制御レバー
１０６  プルアウト・ピース
１０８  時間設定トレイン
１１０  ピン
１１２  被成形スロット
１１４  レバー
１１６  ポスト
１１８  Ｖ字形切り欠き部分
１２０  月指示装置
１２２  ディスク
１２４  ハブ
１２６  孔
１２８  ポスト
【図１】
2007132944.tif 000003
【図２】
2007132944.tif 000004
【図３】
2007132944.tif 000005
【図４】
2007132944.tif 000006
【図５】
2007132944.tif 000007
【図６】
2007132944.tif 000008
【図７】
2007132944.tif 000009
【図８】
2007132944.tif 000010
【図９】
2007132944.tif 000011
【図１０】
2007132944.tif 000012
【図１１】
2007132944.tif 000013
【図１２】
2007132944.tif 000014
【図１３】
2007132944.tif 000015
【図１４】
2007132944.tif 000016
【図１５】
2007132944.tif 000017
【図１６】
2007132944.tif 000018
【図１７】
2007132944.tif 000019